(57)【要約】【課題】光ディスク装置で用いる光ピックアップにおいて、線材をレンズコイルホルダに直接巻回してトラッキングコイルやフォーカスコイルを作成する。【解決手段】レンズコイルホルダを三個のホルダに分割し、一つのホルダには対物レンズを搭載し側面に巻線用突起を設けて線材を巻線してトラッキングコイルを作成する。残るホルダにはフォーカスコイルを巻回する。或いは、レンズコイルホルダを二個のホルダに分割し、一つのホルダには側面に巻線用突起を設けて線材を巻線してトラッキングコイルを作成する。残るホルダには対物レンズを搭載しフォーカスコイルを巻回する。レンズコイルホルダには、光ディスク面に平行して発生されたレーザ光を通過させるための空洞を設ける。【選択図】図４
2011222059.tif 000002
【特許請求の範囲】
【請求項１】
光ディスクに対してレーザ光を照射して情報信号を記録し再生する光ディスク装置の光ピックアップであって、
前記レーザ光を前記光ディスクのディスク面に対して平行する線速度方向に発生するレーザ光源と、
該レーザ光源で発生された前記レーザ光が照射され前記光ディスクのディスク面に対して垂直な方向に反射する複数の全反射ミラーと、
該全反射ミラーで反射されたレーザ光が供給され該レーザ光を前記光ディスクに照射するための対物レンズを有する対物レンズ駆動装置を有し、
該対物レンズ駆動装置は、
前記光ディスクにレーザ光を集光させるための対物レンズと、
該対物レンズの前記光ディスクに対する半径方向位置を制御するための変動磁界を供給する複数のトラッキングコイルと、
前記対物レンズの前記光ディスク面に対する垂直方向位置を制御するための変動磁界を供給する二つのフォーカスコイルと、
前記対物レンズを前記光ディスクと対向する面に搭載し、また前記トラッキングコイルと前記フォーカスコイルを搭載したレンズコイルホルダと、
該レンズコイルホルダを前記光ディスク面に対する半径方向、及び前記光ディスク面に対する垂直方向に駆動するための直流磁界を生成するマグネット群を有し、
前記レンズコイルホルダは、
前記対物レンズ、前記対物レンズの光軸方向に対して直交する方向に中心軸を有する前記トラッキングコイルを搭載した第１のホルダと、
前記二つのフォーカスコイルうちの一つを巻回した第２のホルダと、
前記二つのフォーカスコイルうちの残る一つを巻回した第３のホルダを有し、
前記第１のホルダは、
前記光ディスクの半径方向に平行した側面において前記前記レーザ光を前記全反射ミラーに照射するための前記光ディスクの半径方向に広がる空洞と、
前記光ディスクの半径方向に平行した側面の前記空洞を含まない部分に前記トラッキングコイルが前記側面に平行して巻回される巻線用突起と、
前記フォーカスコイルの中心軸が前記トラッキングコイルの中心軸に対して直交する方向へ位置するように前記第２のホルダと前記第３のホルダが挿入される二つの挿入孔
を有することを特徴とする光ピックアップ。
【請求項２】
光ディスクに対してレーザ光を照射して情報信号を記録し再生する光ディスク装置の光ピックアップであって、
前記レーザ光を前記光ディスクのディスク面に対して平行する線速度方向に発生するレーザ光源と、
該レーザ光源で発生された前記レーザ光が照射され前記光ディスクのディスク面に対して垂直な方向に反射する全反射ミラーと、
該全反射ミラーで反射されたレーザ光が供給され該レーザ光を前記光ディスクに照射するための対物レンズを有する対物レンズ駆動装置を有し、
該対物レンズ駆動装置は、
前記光ディスクにレーザ光を集光させるための複数の対物レンズと、
該対物レンズの前記光ディスクに対する半径方向位置を制御するための変動磁界を供給する複数のトラッキングコイルと、
前記対物レンズの前記光ディスクに対する垂直方向位置を制御するための変動磁界を供給する二つのフォーカスコイルと、
前記対物レンズを前記光ディスクと対向する面に搭載し、また前記トラッキングコイルと前記フォーカスコイルを搭載したレンズコイルホルダと、
該レンズコイルホルダを前記光ディスクの半径方向、及び前記光ディスク面に対する垂直方向に駆動するための直流磁界を生成するマグネット群を有し、
前記レンズコイルホルダは、
前記トラッキングコイルを搭載した第４のホルダと、
前記対物レンズを搭載し前記対物レンズの光軸に対して平行する方向に中心軸を有するフォーカスコイルを巻回した第５のホルダを有し、
前記第４のホルダは、
前記光ディスクの半径方向に平行した側面において前記前記レーザ光を前記全反射ミラーに照射するための前記光ディスクの半径方向に広がる空洞と、
前記光ディスクの半径方向に平行した側面の前記空洞を含まない部分に前記トラッキングコイルが前記側面に平行して巻回される巻線用突起と、
前記フォーカスコイルの中心軸が前記トラッキングコイルの中心軸に対して直交する方向へ位置するように前記第５のホルダが挿入される二つの挿入孔
を有することを特徴とする光ピックアップ。
【請求項３】
請求項１または請求項２に記載の光ピックアップにおいて、前記のマグネット群を搭載するマグネットホルダを有し、該マグネットホルダは、前記レーザ光を前記全反射ミラーに照射するための前記光ディスクの半径方向に広がる空洞を有することを特徴とする光ピックアップ。
【発明の詳細な説明】
【技術分野】
【０００１】
本発明は光ディスク装置で使用する光ピックアップに係り、特に対物レンズを駆動する駆動コイルをホルダに巻回した光ピックアップに関するものである。
【背景技術】
【０００２】
光ディスク装置の分野では昨今の薄型化の要求に応じて、光ディスクに対してレーザ光を照射して情報信号を記録し再生するための光ピックアップにおいても、薄型化が進められている。
また、光ピックアップの対物レンズを駆動するためのトラッキングコイル、フォーカスコイル、チルトコイルにおいては、従来は予め作成されたコイルを対物レンズが搭載されたホルダに貼り付けることにより、前記ホルダに搭載していた。これに対して最近では、光ピックアップの作成を容易にし、またコスト低減するために、前記ホルダの構成要素に対して、線材を巻回して前記コイルを作成する方法が検討されている。
【０００３】
特許文献１においては、トラッキングコイル、フォーカスコイル、チルトコイルを、レンズホルダの構成要素に線材を巻回して作成するための技術が開示されている。
【先行技術文献】
【特許文献】
【０００４】
【特許文献１】特開２００７−１８５７３号公報
【発明の概要】
【発明が解決しようとする課題】
【０００５】
光ピックアップの薄型化に伴い、信号の記録再生をするために光ディスクに照射されるレーザ光の光路は、最近は次のように設けられることが多い。即ち、レーザ光はレーザ光源から光ディスク面に平行な方向に向けて発生され、対物レンズの真下に至り、対物レンズの真下に設けられた全反射ミラーで略直角方向に全反射され、対物レンズを介して光ディスク面に照射される。この場合は、対物レンズが搭載されるホルダの一面には、レーザ光を通過させるための空洞が必要である。特許文献１においては、この空洞を設ける位置にトラッキングコイル（特許文献１の図２の１２）が存在するために、前記したようにレーザ光の光路を定めることができず、光ピックアップの薄型化のためには必ずしも適していなかった。
【０００６】
また、対物レンズのホルダの構成要素に線材を巻回して作成するためには、さらに次の点が課題となる。即ち、トラッキングコイルは対物レンズを光ディスク面の半径方向（トラッキング方向）に駆動し、フォーカスコイルは対物レンズを光ディスク面の垂直方向（フォーカス方向）に駆動するため、各コイルは直交する方向に互いに重なり合わないよう配置する必要がある。もちろん、対物レンズに与える各方向への推力が充分に得られるよう、各コイルは対物レンズに近接した位置に配置せねばならない。また、先に巻回したコイルが、次に巻回するコイルを作成するうえで邪魔にならないように配置する必要がある。さらには、特定のコイルを巻回し光ピックアップを組立てるうえで、他のコイルを巻回するための構成要素が邪魔にならないようにする必要がある。
本発明の目的は前記した課題を踏まえたうえで、対物レンズを駆動する駆動コイルをホルダに巻回した光ピックアップを提供することにある。
【課題を解決するための手段】
【０００７】
前記課題を解決するため本発明は、光ディスクに対してレーザ光を照射して情報信号を記録し再生する光ディスク装置の光ピックアップであって、前記レーザ光を前記光ディスクのディスク面に対して平行する線速度方向に発生するレーザ光源と、該レーザ光源で発生された前記レーザ光が照射され前記光ディスクのディスク面に対して垂直な方向に反射する複数の全反射ミラーと、該全反射ミラーで反射されたレーザ光が供給され該レーザ光を前記光ディスクに照射するための対物レンズを有する対物レンズ駆動装置を有し、該対物レンズ駆動装置は、前記光ディスクにレーザ光を集光させるための対物レンズと、該対物レンズの前記光ディスクに対する半径方向位置を制御するための変動磁界を供給する複数のトラッキングコイルと、前記対物レンズの前記光ディスク面に対する垂直方向位置を制御するための変動磁界を供給する二つのフォーカスコイルと、前記対物レンズを前記光ディスクと対向する面に搭載し、また前記トラッキングコイルと前記フォーカスコイルを搭載したレンズコイルホルダと、該レンズコイルホルダを前記光ディスク面に対する半径方向、及び前記光ディスク面に対する垂直方向に駆動するための直流磁界を生成するマグネット群を有し、前記レンズコイルホルダは、前記対物レンズ、前記対物レンズの光軸方向に対して直交する方向に中心軸を有する前記トラッキングコイルを搭載した第１のホルダと、前記二つのフォーカスコイルうちの一つを巻回した第２のホルダと、前記二つのフォーカスコイルうちの残る一つを巻回した第３のホルダを有し、前記第１のホルダは、前記光ディスクの半径方向に平行した側面において前記前記レーザ光を前記全反射ミラーに照射するための前記光ディスクの半径方向に広がる空洞と、前記光ディスクの半径方向に平行した側面の前記空洞を含まない部分に前記トラッキングコイルが前記側面に平行して巻回される巻線用突起と、前記フォーカスコイルの中心軸が前記トラッキングコイルの中心軸に対して直交する方向へ位置するように前記第２のホルダと前記第３のホルダが挿入される二つの挿入孔を有することを特徴としている。
【０００８】
また本発明は、光ディスクに対してレーザ光を照射して情報信号を記録し再生する光ディスク装置の光ピックアップであって、前記レーザ光を前記光ディスクのディスク面に対して平行する線速度方向に発生するレーザ光源と、該レーザ光源で発生された前記レーザ光が照射され前記光ディスクのディスク面に対して垂直な方向に反射する全反射ミラーと、該全反射ミラーで反射されたレーザ光が供給され該レーザ光を前記光ディスクに照射するための対物レンズを有する対物レンズ駆動装置を有し、該対物レンズ駆動装置は、前記光ディスクにレーザ光を集光させるための複数の対物レンズと、該対物レンズの前記光ディスクに対する半径方向位置を制御するための変動磁界を供給する複数のトラッキングコイルと、前記対物レンズの前記光ディスクに対する垂直方向位置を制御するための変動磁界を供給する二つのフォーカスコイルと、前記対物レンズを前記光ディスクと対向する面に搭載し、また前記トラッキングコイルと前記フォーカスコイルを搭載したレンズコイルホルダと、該レンズコイルホルダを前記光ディスクの半径方向、及び前記光ディスク面に対する垂直方向に駆動するための直流磁界を生成するマグネット群を有し、前記レンズコイルホルダは、前記トラッキングコイルを搭載した第４のホルダと、前記対物レンズを搭載し前記対物レンズの光軸に対して平行する方向に中心軸を有するフォーカスコイルを巻回した第５のホルダを有し、前記第４のホルダは、前記光ディスクの半径方向に平行した側面において前記前記レーザ光を前記全反射ミラーに照射するための前記光ディスクの半径方向に広がる空洞と、前記光ディスクの半径方向に平行した側面の前記空洞を含まない部分に前記トラッキングコイルが前記側面に平行して巻回される巻線用突起と、前記フォーカスコイルの中心軸が前記トラッキングコイルの中心軸に対して直交する方向へ位置するように前記第５のホルダが挿入される二つの挿入孔を有することを特徴としている。
【発明の効果】
【０００９】
本発明によれば、対物レンズを駆動する駆動コイルをホルダに巻回した光ピックアップを提供でき、光ピックアップ作成の容易化に寄与できるという効果がある。
【図面の簡単な説明】
【００１０】
【図１】本発明の一実施例における光ピックアップのブロック図である。
【図２】実施例１における対物レンズ駆動装置の平面図と側面図である。
【図３】実施例１における対物レンズ駆動装置の断面図である。
【図４】実施例１における対物レンズ駆動装置の外観図である。
【図５】実施例１における対物レンズ駆動装置の別な外観図である。
【図６】実施例１における対物レンズ駆動装置のさらに別な外観図である。
【図７】実施例１におけるマグネットホルダの外観図である。
【図８】実施例１におけるマグネットホルダの別な外観図である。
【図９】従来例における対物レンズ駆動装置の外観図である。
【図１０】実施例２における対物レンズ駆動装置の外観図である。
【図１１】実施例２における対物レンズ駆動装置の別な外観図である。
【図１２】実施例２における対物レンズ駆動装置のさらに別な外観図である。
【発明を実施するための形態】
【００１１】
以下、本発明の実施例につき図面を用いて説明する。まず、光ディスク装置で使用する光ピックアップの全体構成について、図１を用いて説明する。
図１は、本発明の一実施例における光ピックアップのブロック図である。
【００１２】
図１において、光ピックアップは最も基本的な構成要素として、対物レンズ駆動装置１、レーザ光源２１、光検出器３１を有している。対物レンズ駆動装置１は後記するように多数の構成要素を含むが、ここでは対物レンズ１０１を示している。図中の矢印はレーザ光源２１で発生されたレーザ光の光路を示す。
【００１３】
レーザ光源２１で発生されたレーザ光は、全反射ミラー１１０（図示のように全反射と透過の双方を行うビームスプリッタでもあって良い）で全反射されて対物レンズ１０１に至る。さらに図示しない光ディスク面に照射され、レーザ光の有する情報は光ディスクに記録される。また、光ディスク面から反射されて対物レンズ１０１で集光されたレーザ光は、光検出器３１に至り、図示しない後段の信号処理回路において、光ディスクに記録されていた情報が再生される。
【００１４】
なお実際の光ピックアップでは、レーザ光源２１から出射された発散光を平行光にするためのコリメートレンズをはじめ、さらに多くの構成要素を有しているが、説明の煩雑化を避けるため記述を省略する。
以下、図１で示した光ピックアップの構成要素のうち対物レンズ駆動装置１に重点を置いて、本発明の実施例を図面に基づき説明する。
【実施例１】
【００１５】
図２は、実施例１における対物レンズ駆動装置１の平面図と側面図である。中央が平面図であり、図面上で上下方向は光ディスクの半径方向であるトラッキング方向、左右方向は線速度方向であるタンジェント方向、垂直方向はフォーカス方向である。平面図に対して、左方向、右方向、下方向から見た側面図を併せて示している。
対物レンズ１０１はレンズコイルホルダ１０３に搭載されている。レンズコイルホルダ１０３は、搭載された対物レンズ１０１をトラッキング方向やフォーカス方向に移動させるアクチュエータ機能を有する。これにより、光ディスクの記録トラックに対するトラッキング制御やフォーカス制御が行われる。
【００１６】
周知のとおり、これらは磁界により制御するものである。導電基板１０７から供給されるトラッキング制御信号やフォーカス制御信号は、サスペンションワイヤ１０９Ａ〜１０９Ｆ（１０９Ｄと１０９Ｅには符号を付していないが、後の図で示される）を介してレンズコイルホルダ１０３に送られる。次いでトラッキング制御信号は、レンズコイルホルダ１０３に搭載されたトラッキングコイル１０４Ａ〜１０４Ｄに供給される。トラッキングコイル１０４Ａ〜１０４Ｄは前記トラッキング制御信号に基づき変動する磁界を発生させ、対物レンズ１０１を搭載したレンズコイルホルダ１０３は該磁界に応じて、対物レンズ１０１を通過したレーザ光が光ディスクの記録トラックの中心をトレースするように制御する。またフォーカス制御信号は、フォーカスコイル１０５に供給される。フォーカスコイル１０５は前記フォーカス制御信号に基づき変動する磁界を発生させ、対物レンズ１０１を搭載したレンズコイルホルダ１０３は該磁界に応じて、対物レンズ１０１を通過したレーザ光が光ディスクの記録面にフォーカスを結ぶように制御する。
【００１７】
レンズコイルホルダ１０３には、対物レンズ１０１、トラッキングコイル１０４Ａ〜１０４Ｄ、フォーカスコイル１０５が搭載されている。サスペンションワイヤ１０９Ａ〜１０９Ｆは、前記した制御信号を伝達するほか、導電用基板１０７を介してダンピングホルダ１０８にレンズコイルホルダ１０３を弾性支持する作用を有している。
なお、ここではマグネットが６個、トラッキングコイルが４個、フォーカスコイルが２個、サスペンションワイヤが６個である例を示したが、これは一例であってこれらの数が異なる場合も本実施例の範疇にある。
【００１８】
対物レンズ１０１に到る、レーザ光の光路について説明する。
図３は、実施例１における対物レンズ駆動装置１の断面図であり、図１において対物レンズ１０１の中心で左右方向に切断した場合の断面図である。
【００１９】
図３において、破線で囲った部分はレーザ光の光路を示している。レーザ光源（図示せず）で発生されたレーザ光は、図の左側より全反射ミラー１１０に入射され、対物レンズ１０１に向けて図の上方向に全反射される。前記したように図３に示す構成は、光ピックアップを薄型化するうえで有効である。この場合には、レーザ光を通過させるための大きな空洞が図３の奥行方向に必要となる。
実際の空洞の大きさも含め、図４〜図８を用いてさらに詳しく説明する。
【００２０】
図４は、実施例１における対物レンズ駆動装置１の外観図であり、図２の中央の平面図に対して斜め左下側から描いたものであるが、レンズコイルホルダ１０３が一体に組上げられる前の段階を示している。図５は、実施例１における対物レンズ駆動装置の別な外観図であり、図２の中央の平面図に対して斜め右下側から描いたものであるが、やはりレンズコイルホルダ１０３が一体に組上げられる前の段階を示している。図６は、実施例１における対物レンズ駆動装置のさらに別な外観図であり、図２の中央の平面図に対して斜め左下側から描いたものであるが、レンズコイルホルダ１０３が一体に組上げられた段階を示している。レンズコイルホルダ１０３は、対物レンズ１０１、トラッキングコイル１０４Ａ〜１０４Ｄを搭載したレンズコイルホルダ１０３Ａ、またフォーカスコイル１０５Ａを搭載した第１のコイルホルダ１０３Ｂ、さらにはフォーカスコイル１０５Ｂを搭載した第２のコイルホルダ１０３Ｃを含んでいる。即ち、レンズコイルホルダ１０３は三個のホルダ１０３Ａ〜１０３Ｃにより構成されている。
【００２１】
図４のレンズコイルホルダ１０３Ａにおいて、図の左手前側の中央にはレーザ光を通過させるための大きな空洞が設けられている。この空洞の位置にトラッキングコイルを設けることはできない。そこでトラッキングコイル１０４Ａ、１０４Ｂは、空洞の両側に設けられている。これにより前記したように光ピックアップの薄型化に対応することができる。
【００２２】
トラッキングコイル１０４Ａ〜１０４Ｄは、予め巻回しておいたコイルをレンズコイルホルダ１０３Ａに貼り付けるのではなく、レンズコイルホルダ１０３Ａの有する巻線用突起１０３Ａ１〜１０３Ａ４を利用して巻線することにより作成される。また、フォーカスコイル１０５Ａと１０５Ｂは、予め巻回しておいたコイルを第１のコイルホルダ１０３Ｂや第２のコイルホルダ１０３Ｃに貼り付けるのではなく、第１のコイルホルダ１０３Ｂと第２のコイルホルダ１０３Ｃの周囲に巻線することで作成される。フォーカスコイル１０５Ａを巻回された第１のコイルホルダ１０３Ｂと、フォーカスコイル１０５Ｂを巻回された第２のコイルホルダ１０３Ｃは、図４ないし図５で示すよう位置された後、図面上で下方向に移動されて、図６に示すようにレンズコイルホルダ１０３Ａの内部に挿入され、固定される。
【００２３】
以上のように三個のホルダを組合せてレンズコイルホルダ１０３を形成することにより、トラッキングコイル１０４Ａ〜１０４Ｄとフォーカスコイル１０５Ａ、１０５Ｂは、直交する方向に互いに重なり合わないよう、対物レンズ１０１に近接した位置に配置される。また、先に巻回したいずれかのコイルが、次に巻回するコイルを作成するうえで邪魔になることはない。例えば巻線用突起１０３Ａ１〜１０３Ａ４のようなコイルを巻回するための構成要素が、他のコイルを巻回し、さらに光ピックアップを組立てるうえで邪魔になることもない。
【００２４】
巻線用突起１０３Ａ１〜１０３Ａ４は、レンズコイルホルダ１０３Ａのみに設けられている。巻線用突起１０３Ａ１〜１０３Ａ４の構成要素の一部を、例えばコイルホルダ１０３Ｂ、１０３Ｃに設ける方法もある。この場合は、フォーカスコイル１０５Ａを巻回された第１のコイルホルダ１０３Ｂと、フォーカスコイル１０５Ｂを巻回された第２のコイルホルダ１０３Ｃが、レンズコイルホルダ１０３Ａの内部に挿入され固定された後に、トラッキングコイル１０４Ａ〜１０４Ｄを、巻線用突起１０３Ａ１〜１０３Ａ４に巻回することになる。しかし、レンズコイルホルダ１０３Ａ、第１のコイルホルダ１０３Ｂ、第２のコイルホルダ１０３Ｃの間に発生するガタにより、トラッキングコイル１０４Ａ〜１０４Ｄの特性が設計値と異なる問題が起こり得る。このため、図４や図５で示したように、巻線用突起１０３Ａ１〜１０３Ａ４は、レンズコイルホルダ１０３Ａのみに設けることが望ましい。
【００２５】
図４及び図５において、フォーカスコイル１０５Ａと１０５Ｂの中心軸は図面上で上下方向、即ち対物レンズ１０１の光軸方向に平行している。トラッキングコイル１０４Ａ〜１０４Ｄの中心軸は、これらとは直交する方向にある。このため、双方のコイルを用いて対物レンズ１０１の光ディスク面に対する垂直方向及び半径方向の位置を制御することができる。
なお、光ピックアップは対物レンズ１０１の光ディスクに対する傾きを調整するためのチルトコイルを有する場合が多い。チルトコイルは、例えばフォーカスコイル１０５Ａ、１０５Ｂに重ね巻きすれば良く、本実施例ではその配置方法を限定していない。
【００２６】
図７は、実施例１におけるマグネットホルダ１０６Ｚの外観図であり、図２の斜め右上側から描いている。図８は、実施例１におけるマグネットホルダ１０６Ｚの別な外観図であり、図２の真上側から時計方向に９０度回転した状態を描いている。マグネットホルダ１０６Ｚには、前記レンズコイルホルダ１０３に対して直流磁界を与えるためのマグネット１０６Ａ〜１０６Ｆが搭載されている。図７において、マグネットホルダ１０６Ｚの右向こう側の一面には、レーザ光を通過させるための大きな空洞が設けられている。少なくも、空洞の位置にはマグネットを配置することはできない。
先に図３で示したとおり、対向するマグネット１０６Ｃと１０６Ｆの間には、全反射ミラー１１０が設けられている。したがい、マグネット１０６Ａ〜１０６Ｆは前記空洞の位置を避け、かつ全反射ミラー１１０を囲むようにして設けられる。
【００２７】
次に、実施例１について従来例と比較することにより、その特徴をさらに説明する。
図９は、従来例における対物レンズ駆動装置の外観図であり、先の図４と同じ方向から描いたものである。コイルレンズホルダ１０３Ｚは、対物レンズ１０１Ｚ、トラッキングコイル１０４Ｗ〜１０４Ｚ、フォーカスコイル１０５Ｙ、１０５Ｚを有している。ここでトラッキングコイル１０４Ｗ〜１０４Ｚとフォーカスコイル１０５Ｙ、１０５Ｚは予め作成されたコイルであって、作成された後にコイルレンズホルダ１０３Ｚの内部や側面に貼り付けられたものである。
【００２８】
先ずフォーカスコイル１０５Ｙと１０５Ｚは、レンズコイルホルダ１０３Ｚの内部の所定位置に貼り付けて固定される。この際、フォーカスコイル１０５Ｙと１０５Ｚは、その高さ位置を規定するために、レンズコイルホルダ１０３Ｚの内部に設けられた小突起１０３Ｚ１（図面を煩雑にしないため１個のみ番号を付す）に沿って挿入される。即ち、フォーカスコイル１０５Ｙと１０５Ｚは、図９における斜め左下方向から挿入される。このため、少なくもトラッキングコイル１０４Ｗと１０４Ｘはフォーカスコイル１０５Ｙと１０５Ｚが取付けられた後に、レンズコイルホルダ１０３Ｚの所定位置に貼付けて固定される。
【００２９】
図９では、フォーカスコイル１０５Ｙと１０５Ｚはもちろんのこと、トラッキングコイル１０４Ｗ〜１０４Ｚを作成する際も、本実施例のようなコイルホルダへ直接巻線する方法を用いることはできない。前記したようにフォーカスコイル１０５Ｙと１０５Ｚは、図９における斜め左下方向から挿入される。このため、レンズコイルホルダ１０３Ｚの少なくもトラッキングコイル１０４Ｗと１０４Ｘの取付け面においては、図４や図５における巻線用突起１０３Ａ１〜１０３Ａ４を設けることはできず、少なくもトラッキングコイル１０４Ｗと１０４Ｘをコイルホルダへ直接巻線することはできない。
これに対して本実施例では、フォーカスコイルやトラッキングコイルをコイルホルダに巻回して作成することができるので、光ピックアップの作成を容易化できる効果がある。
【実施例２】
【００３０】
図１０は、実施例２における対物レンズ駆動装置の外観図であり、図２の中央の平面図に対して斜め左下側から描いたものであるが、レンズコイルホルダ１０３が一体に組上げられる前の段階を示している。図１１は、実施例２における対物レンズ駆動装置の別な外観図であり、図２の中央の平面図に対して斜め右下側から描いたものであるが、やはりレンズコイルホルダ１０３が一体に組上げられる前の段階を示している。図１２は、実施例２における対物レンズ駆動装置のさらに別な外観図であり、図２の中央の平面図に対して斜め左下側から描いたものであるが、レンズコイルホルダ１０３が一体に組上げられた段階を示している。レンズコイルホルダ１０３は、トラッキングコイル１０４Ａ〜１０４Ｄを搭載したコイルホルダ１０３Ｄ、及び対物レンズ１０１、フォーカスコイル１０５Ａ、１０５Ｂを搭載したレンズコイルホルダ１０３Ｅを含んでいる。即ち、レンズコイルホルダ１０３は二個のホルダにより構成されている。
【００３１】
図１０のコイルホルダ１０３Ｄにおいて、図の左手前側にはレーザ光を通過させるための大きな空洞が設けられている。この空洞の位置にトラッキングコイルを設けることはできない。そこでトラッキングコイル１０４Ａ、１０４Ｂは、空洞の両側に設けられている。これにより前記したように光ピックアップの薄型化に対応することができる。
【００３２】
トラッキングコイル１０４Ａ〜１０４Ｄは、予め巻回しておいたコイルをコイルホルダ１０３Ｄに貼り付けるのではなく、コイルホルダ１０３Ｄの有する巻線用突起１０３Ｄ１〜１０３Ｄ４に対して巻線することにより作成される。また、フォーカスコイル１０５Ａと１０５Ｂは、予め巻回しておいたコイルをレンズコイルホルダ１０３Ｅに貼り付けるのではなく、レンズコイルホルダ１０３Ｅの周囲に巻線することで作成される。フォーカスコイル１０５Ａと１０５Ｂを巻回されたレンズコイルホルダ１０３Ｅは、図１０ないし図１１で示すよう位置された後、図面上で下方向に移動されて、図１２に示すようにレンズコイルホルダ１０３Ｄに挿入され、固定される。
【００３３】
以上のように二個のホルダを組合せてレンズコイルホルダ１０３を形成することにより、トラッキングコイル１０４Ａ〜１０４Ｄとフォーカスコイル１０５Ａ、１０５Ｂは、直交する方向に互いに重なり合わないよう、対物レンズ１０１に近接した位置に配置される。また、先に巻回したいずれかのコイルが、次に巻回するコイルを作成するうえで邪魔になることはない。例えば巻線用突起１０３Ｄ１〜１０３Ｄ４のようなコイルを巻回するための構成要素が、他のコイルを巻回し、さらに光ピックアップを組立てるうえで邪魔になることもない。
【００３４】
巻線用突起１０３Ｄ１〜１０３Ｄ４は、レンズコイルホルダ１０３Ｄのみに設けられている。巻線用突起１０３Ｄ１〜１０３Ｄ４の構成要素の一部を、例えばコイルホルダ１０３Ｅに設ける方法もある。この場合は、フォーカスコイル１０５Ａとフォーカスコイル１０５Ｂを巻回されたレンズコイルホルダ１０３Ｅが、コイルホルダ１０３Ｄの内部に挿入され固定された後に、トラッキングコイル１０４Ａ〜１０４Ｄを、巻線用突起１０３Ｄ１〜１０３Ｄ４に巻回することになる。しかし、コイルホルダ１０３Ｄ、レンズコイルホルダ１０３Ｅの間に発生するガタにより、トラッキングコイル１０４Ａ〜１０４Ｄの特性が設計値と異なる問題が起こり得る。このため、図１０や図１１で示したように、巻線用突起１０３Ｄ１〜１０３Ｄ４は、レンズコイルホルダ１０３Ｄのみに設けることが望ましい。
ここまで示した実施形態は一例であって、本発明を限定するものではない。本発明の趣旨に基づきながら異なる実施形態を考えられるが、いずれも本発明の範疇にある。
【符号の説明】
【００３５】
１：対物レンズ駆動装置、１０１：対物レンズ、１０３：レンズコイルホルダ、１０４Ａ〜１０４Ｄ：トラッキングコイル、１０５Ａ，１０５Ｂ：フォーカスコイル、１０６Ａ〜１０６Ｆ：マグネット、１０６Ｚ：マグネットホルダ、１０７：導電基板、１０８：ダンピングホルダ、１０９Ａ〜１０９Ｆ：サスペンションワイヤ、１１０：全反射ミラー。
【図１】
2011222059.tif 000003
【図２】
2011222059.tif 000004
【図３】
2011222059.tif 000005
【図４】
2011222059.tif 000006
【図５】
2011222059.tif 000007
【図６】
2011222059.tif 000008
【図７】
2011222059.tif 000009
【図８】
2011222059.tif 000010
【図９】
2011222059.tif 000011
【図１０】
2011222059.tif 000012
【図１１】
2011222059.tif 000013
【図１２】
2011222059.tif 000014